(57)【要約】【課題】封緘構造を理解し易く、封緘作業および開封作業を容易とする。【解決手段】四方を囲繞する側壁１０Ａ〜１０Ｄと、側壁１０Ｂ，１０Ｄの上端縁に連設した内フラップ１３Ａ，１３Ｂと、側壁１０Ａ，１０Ｃの上端縁に連設した外フラップ１５Ａ，１５Ｂとを備えた包装箱において、少なくとも一方の内フラップ１３Ａ，１３Ｂの横方向中央に、基端が内フラップ１３Ａ，１３Ｂと連続する基部１９と、基部１９から両側に突出する突部２０とからなる略Ｔ形状の係止片１８を設け、外フラップ１５Ａ，１５Ｂに、内フラップ１３Ａ，１３Ｂの先端間に略全体が位置する指差込用挿入溝２６と、係止片１８の上側に位置する係止溝３１とを設け、内フラップ１３Ａ，１３Ｂ上に外フラップ１５Ａ，１５Ｂを重畳させ、指差込用挿入溝２６から指を差し込んで係止片１８を上向きに折り曲げることにより、係止片１８を係止溝３１の縁に係止する。【選択図】図１
2005231667.tif 000002
【特許請求の範囲】
【請求項１】
四方を囲繞する側壁と、対向する一対の側壁の上端縁に連設した内フラップと、他の対向する一対の側壁の上端縁に連設した外フラップとを備え、前記内フラップは互いの先端縁が突き合わない寸法で形成され、前記内フラップを折り曲げた後に前記外フラップを折り曲げて蓋をする包装箱において、
少なくとも一方の前記内フラップの横方向中央に、基端が該内フラップと連続する基部と、該基部から両側に突出する突部とからなる略Ｔ形状の係止片を設け、
前記外フラップに、蓋をした状態において前記内フラップの先端間に略全体が位置する指差込用挿入溝と、前記係止片の上側に位置する係止溝とを設け、
前記内フラップ上に前記外フラップを重畳させるように折り曲げた状態で、指差込用挿入溝から指を差し込んで前記係止片を上向きに折り曲げることにより、該係止片を前記係止溝の縁に係止するようにしたことを特徴とする包装箱。
【発明の詳細な説明】
【技術分野】
【０００１】
本発明は、テープ止めすることなく再封緘可能な包装箱に関するものである。
【背景技術】
【０００２】
従来より、包装箱は、四方を囲繞する側壁の上端縁に、蓋体を構成する一対の内フラップおよび外フラップが一体に連設されている。そして、内フラップの上側に重畳するように外フラップを折り曲げ、これら外フラップの互いに突き合わさった先端縁を粘着テープなどの貼着手段によって貼着することにより、輸送用の箱として使用される。
【０００３】
また、前記包装箱に収容された商品の納入先では、前記貼着手段によるフラップの貼着を解除することにより、前記包装箱の上端開口を開封し、希望の商品を取り出す。そして、包装箱の内部に未だ商品が残っている場合には、前記フラップ形成したロック手段により、粘着テープなどの貼着手段を用いることなく、再封緘可能に構成している。
【０００４】
本発明の包装箱に関連する先行技術文献情報としては次のものがある。
【０００５】
【特許文献１】特開２００２−１７１６１号公報
【０００６】
この特許文献１に記載の包装箱では、内フラップに略Ｔ形状の係止片を設けるとともに、外フラップに係止溝を設け、外フラップを折り曲げた後に、該外フラップ上に重畳するように内フラップを折り曲げ、前記係止片を内向きに押圧することにより、係止溝から係止片を没入させて係止することにより、封緘可能に構成している。
【発明の開示】
【発明が解決しようとする課題】
【０００７】
しかしながら、前記包装箱では、通常では外側に位置させる外フラップの外（上）側に内フラップを折り曲げる必要があるため、ユーザが封緘構造を理解し難いという問題がある。また、包装箱の内部に没入させた係止片と係止溝との係止を解除する作業は非常に困難であるため、この開封作業時に係止片が内フラップから破断される可能性が高い。
【０００８】
そこで、本発明では、封緘構造を理解し易く、封緘作業および開封作業が容易な包装箱を提供することを課題とするものである。
【課題を解決するための手段】
【０００９】
前記課題を解決するため、本発明の包装箱は、四方を囲繞する側壁と、対向する一対の側壁の上端縁に連設した内フラップと、他の対向する一対の側壁の上端縁に連設した外フラップとを備え、前記内フラップは互いの先端縁が突き合わない寸法で形成され、前記内フラップを折り曲げた後に前記外フラップを折り曲げて蓋をする包装箱において、少なくとも一方の前記内フラップの横方向中央に、基端が該内フラップと連続する基部と、該基部から両側に突出する突部とからなる略Ｔ形状の係止片を設け、前記外フラップに、蓋をした状態において前記内フラップの先端間に略全体が位置する指差込用挿入溝と、前記係止片の上側に位置する係止溝とを設け、前記内フラップ上に前記外フラップを重畳させるように折り曲げた状態で、指差込用挿入溝から指を差し込んで前記係止片を上向きに折り曲げることにより、該係止片を前記係止溝の縁に係止する構成としている。
【発明の効果】
【００１０】
本発明の包装箱では、少なくとも一方の前記内フラップに略Ｔ形状の係止片を設けるとともに、前記外フラップに指差込用挿入溝と係止溝とを設け、内フラップ上に外フラップを重畳させるように折り曲げた状態で、指差込用挿入溝から指を差し込んで前記係止片を上向きに折り曲げることにより、該係止片を前記係止溝の縁に係止する構成としている。即ち、外フラップは、内フラップ上に重畳させる通常の封緘構造と同一であるため、その封緘構造をユーザが理解し易い。しかも、封緘時には指差込用挿入溝から指を内部に差し込むことにより係止片を簡単に外側に突出させて係止溝と係止させることができる。また、開封する際には、外側に突出した係止片を簡単に回動させて係止溝との係止を解除することができる。そのため、封緘作業性および開封作業性の向上を図ることができる。
【発明を実施するための最良の形態】
【００１１】
以下、本発明の実施の形態を図面に従って説明する。
【００１２】
図１から図５は、本発明の実施形態に係る包装箱を示す。この包装箱は、四方を囲繞する側壁１０Ａ〜１０Ｄと、対向する一対の側壁１０Ｂ，１０Ｄの上下端縁に連設した内フラップ１３Ａ，１３Ｂ，１４Ａ，１４Ｂと、他の対向する一対の側壁１０Ａ，１０Ｃの上下端縁に連設した外フラップ１５Ａ，１５Ｂ，１６Ａ，１６Ｂとを備え、上側のフラップ１３Ａ，１３Ｂ，１５Ａ，１５Ｂに再封緘するための構造を設けたものである。
【００１３】
具体的には、この包装箱は、表紙および裏紙の間に波状の中しんを配設した周知の段ボール紙を、周知の紙器打抜装置（図示せず）によって図５（Ａ）に示す連続した一枚のブランクとして打ち抜き、所定部位を糊付けにより貼着して成形される。
【００１４】
この包装箱のブランクは、図５（Ａ）に示すように、４つの側壁１０Ａ〜１０Ｄが直線的に連続するように設けられている。この側壁１０Ａ〜１０Ｄのうち、一端の側壁１０Ａの端縁には、他端の側壁１０Ｄに貼着するための糊代部１１が連設されている。そして、これら側壁１０Ａ〜１０Ｄおよび糊代部１１の境界部分には、肉厚を圧縮するように罫を入れて形成した折曲線１２が設けられている。
【００１５】
そのうち、側壁１０Ｂ，１０Ｄの上下端縁には、前記上側内フラップ１３Ａ，１３Ｂおよび下側内フラップ１４Ａ，１４Ｂが連設されている。さらに、側壁１０Ａ，１０Ｃの上下端縁には、前記上側外フラップ１５Ａ，１５Ｂおよび下側外フラップ１６Ａ，１６Ｂが連設されている。そして、これら側壁１０Ａ〜１０Ｄと、各フラップ１３Ａ，１３Ｂ〜１６Ａ，１６Ｂの境界部分には、それぞれ前記と同様の折曲線１７が設けられている。
【００１６】
前記上側内フラップ１３Ａ，１３Ｂおよび下側内フラップ１４Ａ，１４Ｂは、それぞれの先端縁が互いに突き合わず、前記上側外フラップ１５Ａ，１５Ｂおよび下側外フラップ１６Ａ，１６Ｂは、それぞれの先端縁が互いに突き合う寸法で形成されている。また、上側のフラップ１３Ａ，１３Ｂ，１５Ａ，１５Ｂおよび下側のフラップ１４Ａ，１４Ｂ，１６Ａ，１６Ｂの突出寸法は、全て同一であり、その先端が直線的に一致するように構成している。しかも、これらフラップと側壁１０Ａ〜１０Ｄとの間に設けた折曲線１７は、それぞれ直線的に一致するように構成している。これにより、ブランクを形成する紙器打抜装置としては、高価なダイカッター方式ではなく、フレキソグルアなどの汎用加工機による製造を可能とし、生産コストの削減および生産効率の向上を図っている。
【００１７】
そして、本実施形態では、上側内フラップ１３Ａ，１３Ｂの横方向中央に略Ｔ字形状をなす係止片１８が設けられている。また、上側外フラップ１５Ａ，１５Ｂには、指差込用挿入溝２６と、前記係止片１８を係止させる係止溝３１とがそれぞれ一対に設けられている。
【００１８】
前記係止片１８は、図５（Ｂ）に示すように、基端が上側内フラップ１３Ａ，１３Ｂとの連続端となる基部１９と、該基部１９の先端から両側に突出する突部２０とからなる切り起こし構造により構成されている。この突部２０は、側壁１０Ｂ，１０Ｄと上側内フラップ１３Ａ，１３Ｂとの境界線である折曲線１７と平行な横方向に突出するように設けられている。具体的には、この係止片１８は、上側内フラップ１３Ａ，１３Ｂの先端縁より側壁１０Ｂ，１０Ｄに向けて下側に延びる一対の第１切断部２１と、該第１切断部２１の下端から内側上方に延びる第２切断部２２と、該第２切断部２２の内端から側壁１０Ｂ，１０Ｄに向けて屈曲して下側に延びる第３切断部２３と、該第３切断部２３の下端から外側に円弧状に湾曲して延びる第４切断部２４とを備えている。そして、連続端である一対の第４切断部２４，２４の間には、前記と同様の折曲線２５が設けられている。前記第１切断部２１と第２切断部２２により前記突部２０が形成される。この突部２０は第２切断部２２の傾斜により、再封緘の際には両側下端が下方に突出する（図１参照）構成とされ、係止力が向上されている。また、前記第４切断部２４は、その湾曲により、該係止片１８の基端に破断が生じることを抑制する役割をなす。
【００１９】
前記指差込用挿入溝２６は、前記上側内フラップ１３Ａ，１３Ｂおよび上側外フラップ１５Ａ，１５Ｂにより包装箱の上端開口に蓋をした状態において、対向する上側内フラップ１３Ａ，１３Ｂの先端間に略全体が位置するように上側外フラップ１５Ａ，１５Ｂにそれぞれ一対に設けられている。具体的には、図５（Ｃ）に示すように、この指差込用挿入溝２６は、一部を上側外フラップ１５Ａ，１５Ｂに連続させた切り起こし構造により設けられ、その内側の残留部分２６ａの先端は、前記係止片１８の先端上側にオーバーラップする位置に設けられている。この指差込用挿入溝２６は、上側外フラップ１５Ａ，１５Ｂにおいて、その先端縁から側壁１０Ａ，１０Ｃに向けて下側に延びる第１切断部２７と、該第１切断部２７の下端の近傍から内側上向きに延びる第２切断部２８とを備えている。そして、この第２切断部２８の内端と上側外フラップ１５Ａ，１５Ｂの先端縁との間の連続部分には、前記と同様の折曲線２９が設けられている。即ち、前記第１切断部２７と第２切断部２８との間には、切断していない連続部３０が形成される。
【００２０】
前記係止溝３１は、前記上側内フラップ１３Ａ，１３Ｂおよび上側外フラップ１５Ａ，１５Ｂにより包装箱の上端開口に蓋をした状態において、前記係止片１８の上側に位置するように上側外フラップ１５Ａ，１５Ｂにそれぞれ一対に設けられている。具体的には、この係止溝３１は、前記係止片１８と上下方向に対応する位置に、一部を連続させた切り起こし構造により設けられ、前記突部２０と対応する位置に係止段部３２を形成したものである。この係止溝３１は、前記第１切断部２７の下端の近傍から外側上向きに傾斜して延びる第３切断部３３と、該第３切断部３３の外端から上側外フラップ１５Ａ，１５Ｂの先端に向けて延びる第４切断部３４と、該第４切断部３４の先端から更に外向きに延びる第５切断部３５と、該第５切断部３５の外端から側壁１０Ａ，１０Ｃに向けて下側に円弧状に湾曲して延びる第６切断部３６とを備えている。この第６切断部３６と上側外フラップ１５Ａ，１５Ｂの先端縁との間の連続部分には、前記と同様の折曲線３７が設けられている。即ち、前記第１切断部２７と第３切断部３３との間には、切断していない連続部３８が形成される。また、前記第４切断部３４と第５切断部３５により前記係止段部３２が形成される。
【００２１】
前記構成の包装箱は、糊代部１１に酢酸ビニルエマルジョンなどの接着剤を塗布し、側壁１０Ａを側壁１０Ｂに対して折り曲げるとともに、側壁１０Ｄを側壁１０Ｃに対して折り曲げ、側壁１０Ｄの縁に糊代部１１を貼着した状態で所定のメーカに納品される。なお、この状態までは、種々の大きさの包装箱を寸法入力するだけで、前記係止片１８、指差込用挿入溝２６および係止溝３１を除く構成を自動形成し、これらの構成は部分型を使用することにより製造可能な汎用加工機であるＬ型のフレキソグルアによって自動製造される。
【００２２】
一方、所定の商品を製造するメーカにおいて、前記包装箱によって商品を梱包する場合、まず、下側内フラップ１４Ａ，１４Ｂを側壁１０Ｂ，１０Ｄに対して折り曲げた後、下側外フラップ１６Ａ，１６Ｂを側壁１０Ａ，１０Ｃに対して折り曲げ、下側外フラップ１６Ａ，１６Ｂの突き合わされた先端部分を貼着手段である粘着テープ１により貼着し、下端開口を閉塞する。なお、貼着手段としては、粘着テープ１の代わりに、下側内フラップ１４Ａ，１４Ｂと下側外フラップ１６Ａ，１６Ｂとの重畳部分をホットメルトなどによる糊付けにより行ってもよい。
【００２３】
ついで、図２に示すように、包装箱の開放した上側から製造した商品を収容させる。その後、前記と同様に、上側内フラップ１３Ａ，１３Ｂを折り曲げた後、上側外フラップ１５Ａ，１５Ｂを折り曲げ、図３に示すように、突き合わさった上側外フラップ１５Ａ，１５Ｂを粘着テープ１により貼着し、この状態で、所定の納入先に納品する。
【００２４】
包装箱に収容した商品の納入先である販売店等では、上側外フラップ１５Ａ，１５Ｂを貼着した粘着テープ１を剥がし、図２に示すように、包装箱を開封する。そして、所定の商品を取り出した後、内部に未だ商品が残っている場合には、上側内フラップ１３Ａ，１３Ｂおよび上側外フラップ１５Ａ，１５Ｂにより再び上端開口を封緘する。なお、前記粘着テープ１を剥がす際には、連続部３０，３８により上側外フラップ１５Ａ，１５Ｂに形成した指差込用挿入溝２６および係止溝３１が一緒に捲れ上がることを防止できる。勿論、図３に示す封緘状態で輸送する際にも、内部に埃などが侵入することを防止できる。
【００２５】
次に、前記包装箱の再封緘作業および開封作業について具体的に説明する。
【００２６】
まず、再封緘作業では、図４に示すように、粘着テープ１による封緘作業の際と同様に、上側内フラップ１３Ａ，１３Ｂを折り曲げた後、その上に重畳させるように上側外フラップ１５Ａ，１５Ｂを折り曲げる。その後、指差込用挿入溝２６の残留部分２６ａを下向きに押圧し、その残留部分２６ａを内部に没入させることにより、指差込用挿入溝２６が現れる。この状態で、指を内部に差し込み、内側に位置する上側内フラップ１３における係止片１８の先端を外向きに折り曲げる。これにより、図１に示すように、係止溝３１内の残留部分３１ａが係止片１８に押圧されて一緒に上向きに折り曲げられる。そして、係止片１８を略９０度折り曲げることにより、該係止片１８の突部２０が係止溝３１の縁である係止段部３２上に係止し、確実に封緘状態を維持できる。
【００２７】
一方、この封緘状態の包装箱を開封する場合には、外側に突出した係止片１８または係止溝３１の残留部分３１ａを逆向きに回動させる。これにより、係止片１８の突部２０と係止溝３１の係止段部３２との係止が解除され、上側外フラップ１５Ａ，１５Ｂがそれぞれ外向きに開放可能になる。
【００２８】
このように、本実施形態の包装箱では、上側内フラップ１３Ａ，１３Ｂ上に上側外フラップ１５Ａ，１５Ｂを重畳させ、通常の封緘構造と同一の折曲状態で封緘作業を行うため、その封緘構造をユーザが理解し易い。しかも、その封緘作業は、指差込用挿入溝２６から指を内部に差し込むんで係止片１８を回動させるだけであり、また、開封作業も、外側に突出した係止片１８を回動させるだけであるため、作業性の向上を図ることができる。
【００２９】
なお、本発明の包装箱は、前記実施形態の構成に限定されるものではなく、種々の変更が可能である。
【００３０】
例えば、前記実施形態では、指差込用挿入溝２６および係止溝３１は、内部に残留部分２６ａ，３１ａを有する切り起こし構造により構成したが、この残留部分２６ａ，３１ａを残さずに製造時に一緒に打ち抜いた構成としてもよい。
【００３１】
また、前記実施形態では、指差込用挿入溝２６は、その先端部分（残留部分２６ａ）を係止片１８上にオーバーラップさせ、略全体が上側内フラップ１３Ａ，１３Ｂ間に位置するように構成したが、オーバーラップする部分を形成せず、全体が完全に上側内フラップ１３Ａ，１３Ｂ間に位置するように構成してもよい。
【００３２】
さらに、前記実施形態では、上側内フラップ１３Ａ，１３Ｂの両方に係止片１８を設け、上側外フラップ１５Ａ，１５Ｂに指差込用挿入溝２６および係止溝３１をそれぞれ一対に設けたが、一方の上側内フラップにのみ係止片１８を設け、上側外フラップ１５Ａ，１５Ｂにそれぞれ１個の指差込用挿入溝２６および係止溝３１を設けてもよい。
【００３３】
さらにまた、前記実施形態では、図３に示すように、係止片１８、指差込用挿入溝２６および係止溝３１の加工部分が粘着テープ１より露出する寸法で形成したが、粘着テープ１を貼着した状態では隠れる寸法（５ｃｍ以内）で形成してもよい。
【図面の簡単な説明】
【００３４】
【図１】本発明の実施形態に係る包装箱の再封緘状態を示す斜視図である。
【図２】包装箱の開封状態を示す斜視図である。
【図３】包装箱を粘着テープによって封緘した状態を示す斜視図である。
【図４】包装箱を再封緘する際の一工程を示す斜視図である。
【図５】（Ａ）は包装箱のブランクを示す平面図、（Ｂ），（Ｃ）は（Ａ）の要部拡大図である。
【符号の説明】
【００３５】
１０Ａ〜１０Ｄ…側壁
１３Ａ，１３Ｂ…上側内フラップ
１５Ａ，１５Ｂ…上側外フラップ
１８…係止片
１９…基部
２０…突部
２６…指差込用挿入溝
３１…係止溝
３２…係止段部
【図１】
2005231667.tif 000003
【図２】
2005231667.tif 000004
【図３】
2005231667.tif 000005
【図４】
2005231667.tif 000006
【図５】
2005231667.tif 000007